(57)【要約】【課題】傷などの欠陥を持つパーティションが未記録であった場合でも、ＯＰＣをできるだけ多く行う光ディスク装置を提供する。【解決手段】再生信号のピークレベルとボトムレベルのリセット手段および測定手段により、未記録の正常パーティションを記録済みと誤って判断しないようにし、また、カウント領域の欠陥パーティションに対応する試し書き領域のパーティションが使用済みか未使用かを正しく判断する。また、欠陥パーティションの有無を瞬時に見分ける手段により、欠陥パーティションが無いと判断した場合には測定手段を用いないようにする。【選択図】　　　　図１
2004110914.tif 000002
【特許請求の範囲】
【請求項１】
レーザの記録パワーを決定するための複数のパーティションに分割された試し書き領域と、
前記試し書き領域のパーティションに対応する複数のパーティションに分割されたカウント領域とからなるＰＣＡ領域を有する光ディスクに対し、
前記カウント領域の記録・未記録を検出することによって、前記試し書き領域の未記録のパーティションを探索する光ディスク装置において、
前記試し書き領域の前記未記録のパーティションを探索する際に、前記カウント領域の前記複数のパーティションを１つずつ読む前に、その都度、再生信号のピークレベルとボトムレベルをリセットするリセット手段を有することを特徴とする光ディスク装置。
【請求項２】
前記カウント領域を読むことによって未使用と判断された前記試し書き領域のパーティションの直前パーティションを読み、再生信号のピークレベルとボトムレベルを測定する測定手段を有することを特徴とする請求項１記載の光ディスク装置。
【請求項３】
レーザの記録パワーを決定するための複数のパーティションに分割された試し書き領域と、
前記試し書き領域のパーティションに対応する複数のパーティションに分割されたカウント領域からなるＰＣＡ領域を有する光ディスクに対し、
前記カウント領域の記録・未記録を検出することによって、前記試し書き領域の未記録のパーティションを探索する光ディスク装置において、
前記試し書き領域の前記未記録のパーティションを探索する際に、前記カウント領域のパーティションを読み、再生信号のピークレベルとボトムレベルの差により振幅を求め、前記振幅の周期性を調べる手段を有することを特徴とする請求項１または２記載の光ディスク装置。
【請求項４】
前記試し書き領域の記録のパーティションを探索する前に、前記カウント領域を全て読み、再生信号のピークレベルとボトムレベルの差による振幅の周期性を求め、前記振幅に周期性が見られた場合は前記測定手段を用い、前記振幅に周期性が見られなかった場合は、前記測定手段を用いない制御を行う制御手段を有することを特徴とする請求項３記載の光ディスク装置。
【請求項５】
前記振幅に周期性が見られなかった場合において、前記制御手段は再生信号のピークレベルとボトムレベルをリセットすることを特徴とする請求項４記載の光ディスク装置。
【請求項６】
前記振幅に周期性が見られなかった場合において、前記制御手段は当該パーティションの直前のパーティションを読み、記録・未記録を調べることを特徴とする請求項４記載の光ディスク装置。
【発明の詳細な説明】
【０００１】
【発明の属する技術分野】
本発明はレーザを用いて光ディスクにデータを記録できる光ディスク装置に関する。
【０００２】
【従来の技術】
レーザを用いて光ディスクにデータを記録できる従来の光ディスク装置においては、データを記録する前に最適記録パワーを求めるためにＯＰＣ（Ｏｐｔｉｍｕｍ　Ｐｏｗｅｒ　Ｃｏｎｔｒｏｌ）と呼ばれる記録パワー最適化を行う必要がある。
【０００３】
図２に光ディスクの内周から外周までの断面を示している。ＯＰＣが行われる領域はＰＣＡ（Ｐｏｗｅｒ　Ｃａｌｉｂｒａｔｉｏｎ　Ａｒｅａ）と呼ばれ、試し書き領域１０２とカウント領域１０３という２つの領域から形成され、光ディスクの最内周に設けられている。試し書き領域は１５セクタ毎に１００のパーティションに分割されている。
【０００４】
ここで、セクタとは光ディスク上の記録領域の最小単位である。ＯＰＣを行う際は、試し書き領域の１つのパーティションでセクタ毎に記録パワーを変えて記録を行い、その部分を再生することによって最も記録品質の良いパワーを探し出し、そのパワーを記録パワーとする。
【０００５】
一方、カウント領域は１セクタ毎に１００のパーティションに分割されている。カウント領域のパーティションは試し書き領域のそれぞれパーティションに対応しており、試し書き領域のパーティションを使用した後、それに対応するカウント領域のパーティションにもデータが記録されることになっている。
【０００６】
ＯＰＣを行う前には、カウント領域にどこまでデータが記録されているかを検出し、試し書き領域内のどのパーティションを使ってＯＰＣを行うかを判断する。カウント領域の記録・未記録は、再生信号をＡＣカップルしたときのピークレベルとボトムレベルを検出して判断する（図３参照）。
【０００７】
また、本発明に類似する従来技術例として、ＯＰＣ実行後のカウント領域への記録が不完全であった場合、使用済みの試し書き領域に再度上書きしてしまうという問題を考慮し、その解決策として、カウント領域のパーティションが未記録と判断された場合、それに対応する試し書き領域のパーティションをＯＰＣ前に実際に読み、未記録であることを確かめることを提案している光ディスク装置および試し書き方法がある（例えば、特許文献１参照）。
【０００８】
【特許文献１】
特開平１１−１７５９７７号公報（１−３頁、図１８）
【０００９】
【発明が解決しようとする課題】
しかしながら、上述した従来の光ディスク装置では、あるカウント領域のパーティションが傷などの欠陥を持つパーティション（以下、欠陥パーティションという）であった場合、その欠陥パーティションが未記録であった場合でも、ピークレベルとボトムレベルは記録済みのレベル以上に検出され、そのパーティションは記録済みと誤って判断されてしまう。
【００１０】
また、欠陥があるパーティションが記録済みと判断されてしまうばかりかその後続にある欠陥のないパーティション（以下、正常パーティションという）を続けて読んだ場合でも、ピークレベルとボトムレベルは欠陥パーティションを読んだときのレベルから少し下がっただけで、依然として記録済みと判断されてしまう。
【００１１】
そのため、記録済みと誤って判断されたカウント領域のパーティションに対応する試し書きのパーティションは使用されないままであり、未使用のまま浪費されてしまう問題があった。特に上書き不可能な光ディスクにおいて、もともとＯＰＣ回数は１００回に限られており、前記問題によるＯＰＣ可能回数の減少は致命的である。したがって、ＯＰＣをできるだけ多く行えるようにするため、未記録の正常パーティションを記録済みと誤って判断しないようにする必要がある。
【００１２】
また、上述の場合において、たとえカウント領域の正常パーティションは未記録を記録済みと誤って判断されることがなかったとしても、欠陥パーティションは未記録であるのに、常に記録済みであると誤って判断されることがある。そして、カウント領域を読むことによって、未使用と判断された試し書き領域のパーティションがあったとしても、その直前のパーティションも未使用である可能性がある。したがって、ＯＰＣ可能回数を増やすためには、カウント領域の欠陥パーティションに対応する試し書き領域のパーティションが使用済みか未使用かを正しく判断することが必要である。
【００１３】
また、傷などによる欠陥パーティションを持つ光ディスクにとっては、カウント領域の欠陥パーティションに対応する試し書き領域のパーティションが使用済みか未使用かを正しく判断する手段は効果があるが、記録面上に傷などの欠陥がない光ディスクにとっては、ＯＰＣの時間がかかるだけであり逆効果であると考えられる。前記手段を用いるか否かを判断するためにも、欠陥パーティションの有無を瞬時に見分けられる手段が必要である。
【００１４】
さらに、全ての光ディスクに対して、再生信号のピークレベルとボトムレベルを測定する測定手段を用いていたのでは、欠陥パーティションのない光ディスクに対してはＯＰＣ時間が長くなる要因になる。よって、欠陥パーティションの有無を調べ、もし無いと判断した場合には試し書き領域のパーティションが使用済みか未使用かを正しく判断する手段を用いないことが必要である。
【００１５】
また、上記特許文献１の従来例は、試し書き領域に試し書きをする際に二重書き（オーバーライト）を未然に防ぐものであり、カウント領域の未記録のパーティションが傷などの欠陥により記録済みと誤って判断され、試し書き領域が未記録のまま浪費されてしまうという課題を解決するものではない。
【００１６】
本発明は上記事情に鑑みてなされたものであり、ＯＰＣをできるだけ多く行えるようにするため、未記録の正常パーティションを記録済みと誤って判断しないようにし、また、カウント領域の欠陥パーティションに対応する試し書き領域のパーティションが使用済みか未使用かを正しく判断する光ディスク装置を提供することを目的とする。
【００１７】
また、欠陥パーティションの有無を瞬時に見分けられる手段により、もし欠陥パーティションが無いと判断した場合には、再生信号のピークレベルとボトムレベルを測定する測定手段を用いないようにする光ディスク装置を提供することを目的とする。
【００１８】
【課題を解決するための手段】
かかる目的を達成するために、請求項１記載の光ディスク装置は、複数のパーティションに分割された試し書き領域と試し書き領域のパーティションに対応する複数のパーティションに分割されたカウント領域とから構成されるＰＣＡ領域を有する光ディスクに対し、カウント領域の記録・未記録を検出することにより、試し書き領域の未記録のパーティションを探索する光ディスク装置において、試し書き領域の未記録のパーティションを探索する時、カウント領域の複数のパーティションを１つずつ読む前に、その都度再生信号のピークレベルとボトムレベルをリセットするリセット手段を有することを特徴としている。
【００１９】
請求項２記載の光ディスク装置は、請求項１記載の光ディスク装置において、カウント領域を読むことによって未使用と判断された試し書き領域のパーティションの直前パーティションを読むことにより、再生信号のピークレベルとボトムレベルを測定する測定手段を有することを特徴としている。
【００２０】
請求項３の記載の光ディスク装置は、請求項１または２記載の光ディスク装置において、試し書き領域の未記録のパーティションを探索する時、カウント領域のパーティションを読み、再生信号のピークレベルとボトムレベルの差により振幅を求め、振幅の周期性を調べる手段を有することを特徴としている。
【００２１】
請求項４記載の光ディスク装置は、請求項３記載の光ディスク装置において、試し書き領域の記録のパーティションを探索する前に、カウント領域を全て読み、再生信号のピークレベルとボトムレベルの差による振幅の周期性を求め、振幅に周期性が見られた場合は、請求項２記載の測定手段を用い、振幅に周期性が見られなかった場合は、請求項２記載の測定手段を用いない制御を行う制御手段を有することを特徴としている。
【００２２】
請求項５記載の光ディスク装置は、請求項４記載の光ディスク装置において、振幅に周期性が見られなかった場合、制御手段は再生信号のピークレベルとボトムレベルをリセットすることを特徴としている。
【００２３】
請求項６記載の光ディスク装置は、請求項４記載の光ディスク装置において、前記振幅に周期性が見られなかった場合、制御手段は当該パーティションの直前のパーティションを読み、記録・未記録を調べることを特徴としている。
【００２４】
【発明の実施の形態】
以下、本発明の実施の形態について、添付図面を参照しながら詳細に説明する。
【００２５】
図１に本発明の実施例である光ディスク装置を示す。３０１は光ディスクで、回転モータ３０２により回転し、光ピックアップ３０３内の図示しないレーザ光源から出射したレーザビームを光ディスクの記録面に照射させることでデータ記録、再生を行う。
【００２６】
３０４はレーザパワー制御手段で、前記レーザ光源のパワーをコントローラ３０８からのパワー指令により制御する。レーザパワー制御手段はパワー指令にもとづいて、図示しないデータ変調手段からのパルス信号で、記録データに応じてレーザパワーを変調する。
【００２７】
ピックアップ３０３からの反射光に応じたデータ信号は、再生信号検出回路３０５によって増幅され、ピーク検出回路３０６およびボトム検出回路３０７により、その上側ピークレベルＰＫと下側ボトムレベルＢＴが検出される。ピーク検出回路３０６およびボトム検出回路３０７の出力ＰＫ、ＢＴはコントローラ３０８に入力される。
【００２８】
コントローラ３０８は一般的なマイクロコンピュータで、ＣＰＵ、プログラムＲＯＭ、データＲＡＭ、Ａ／Ｄ変換器、Ｄ／Ａ変換機などからなる。３０８はＡ／Ｄ変換器でＰＫ、ＢＴ信号を入力し、Ｄ／Ａ変換器でパワー指令を出力する。以上が図１の光ディスクドライブの構成と動作の概要である。
【００２９】
次に、第１の実施の形態として、光ディスク装置の動作について図４の動作フロー図を用いて説明する。まず、光ディスク上における記録・未記録の判断値をＲＦ０と設定しておく（Ｓ４０３）。ここで、基準値ＲＦ０は、検出した再生信号のピークレベルＰＫとボトムレベルＢＴの差と比較することによって、記録・未記録の判断をするものである。
【００３０】
次に、ピーク検出回路３０６およびボトム検出回路３０７内部のＰＫ値とＢＴ値をリセットする（Ｓ４０４）。そして、光ピックアップ３０３から光ディスク３０１にレーザを照射し、カウント領域内の第Ｎ番目のパーティション部分から再生信号を得る（Ｓ４０５）。再生信号の振幅ＲＦａｍｐ　をコントローラ３０８内で計算し（Ｓ４０６）、記録・未記録判断値ＲＦ０と比較する（Ｓ４０７）。
【００３１】
ここで、再生信号の振幅ＲＦａｍｐ　がＲＦ０より小さいならば、パーティション内にデータが記録されていないと判断して、試し書き領域内の第Ｎ番目のパーティションで試し書きを行う（Ｓ４０９）。もし、比較して（Ｓ４０７）、再生信号の振幅ＲＦａｍｐ　がＲＦ０より大きいならば、パーティション内にデータが記録されていると判断し、再生する場所の目標を次のパーティションへ移し（Ｓ４０８）、パーティションＰＫ値とＢＴ値をリセット（Ｓ４０４）した後、再生し（Ｓ４０５）、再生信号の振幅ＲＦａｍｐ　を計算し（Ｓ４０６）、記録・未記録判断値ＲＦ０と比較する（Ｓ４０７）。以下、この流れを繰り返す。
【００３２】
以上のように、第１の実施の形態によれば、カウント領域の各パーティションを読む前に再生信号のピークレベルとボトムレベルをリセットすることにより、欠陥パーティションの直後に存在する未記録の正常パーティションのピークレベルとボトムレベルは、直前の欠陥パーティションのピークレベルとボトムレベルに依存しないので、前記正常パーティションは記録済みと誤って判断されることがない。したがって、前記正常パーティションに対応する試し書き領域のパーティションは有効に使用され、ＯＰＣ可能回数を増やすことができる。
【００３３】
次に、第２の実施の形態として、光ディスク装置の動作について図５の動作フロー図を用いて説明する。再生信号の振幅ＲＦａｍｐ　を計算し（Ｓ５０６）、記録・未記録判断値ＲＦ０と比較する（Ｓ５０７）までは、第１の実施の形態の動作と同じである。
【００３４】
再生信号の振幅ＲＦａｍｐ　と記録・未記録判断値ＲＦ０との比較（Ｓ５０７）で再生信号の振幅ＲＦａｍｐ　がＲＦ０より大きいならば、パーティション内にデータが記録されていると判断し、再生する場所の目標を次のパーティションへ移し（Ｓ５０８）、カウント領域の再生を続ける。再生信号の振幅ＲＦａｍｐ　と記録・未記録判断値ＲＦ０との比較（Ｓ５０７）で、再生信号の振幅ＲＦａｍｐ　がＲＦ０より小さいならば、パーティション内にデータが記録されていないと判断して、試し書き領域の再生へ移行する。
【００３５】
試し書き領域の再生では、まず、第Ｎ−１番目のパーティション内の全セクタを再生する（Ｓ５１０）。ここで、再生信号の振幅ＲＦａｍｐ　を計算し（Ｓ５１１）記録・未記録判断値ＲＦ０と比較し（Ｓ５１２）、１セクタでも振幅ＲＦａｍｐ　がＲＦ０より大きい箇所があったならば、パーティション内にデータが記録されていると判断し、再生する場所の目標を次のパーティションへ移し（Ｓ５１３）、カウント領域の再生を続ける。比較（Ｓ５１２）で、再生信号の振幅ＲＦａｍｐ　がＲＦ０より小さいならば、パーティション内にデータが記録されていないと判断して、第Ｎ−１番目のパーティションで試し書きを行う。
【００３６】
以上が第２の実施形態の動作であるが、最後のＳ５１４の動作で、第Ｎ−１番目のパーティションにデータが記録されていないと判断した場合、さらに前のパーティションの記録・未記録を調べてもよい。そのようにすればカウント領域内の隣り合う複数のパーティションが欠陥になっていた場合にも対応できる。
【００３７】
また、第２の実施の形態によれば、カウント領域を読むことによって未使用と判断された試し書き領域のパーティションの直前パーティションを読むことによりカウント領域の欠陥パーティションによる誤った判断をなくすことができる。したがって、第１の実施形態における手段よりもＯＰＣ可能回数を増やすことができる。
【００３８】
次に、第３の実施の形態として、光ディスク装置の動作について図６の動作フロー図を用いて説明する。まず、ピーク検出回路３０６およびボトム検出回路３０７内部のＰＫ値とＢＴ値をリセットする（Ｓ６０２）。次に、全てのカウント領域内を連続して読む（Ｓ６０３）。そして、再生信号の振幅ＲＦａｍｐ　を計算し（Ｓ６０４）、振幅ＲＦａｍｐ　に光ディスクの回転数　［回／周］　の周期性があるかどうかを判断する（Ｓ６０５）。ここで、周期性が検出されれば、カウント領域に欠陥パーティションが存在し（Ｓ６０６）、検出されなければ、欠陥パーティションは存在しない（Ｓ６０７）と判断することができる。
【００３９】
以上のように、第３の実施の形態によれば、欠陥パーティションのピークレベルとボトムレベルの差は、記録済みのレベルの差より明らかに大きいのが一般的であるため、もし光ディスク上の傷などの欠陥がカウント領域内の複数のトラックにまたがって付いていた場合、カウント領域のピークレベルとボトムレベルの差である振幅は、欠陥部分の振幅が周期的に大きく検出される。したがって、カウント領域の前記振幅を検出することにより、欠陥パーティションの有無が判断できる。
【００４０】
次に、第４の実施の形態として、光ディスク装置の動作について図５および図６の動作フロー図を用いて説明する。まず、図６に示すように、全てのカウント領域内を連続して読む（Ｓ６０３）。そして、再生信号の振幅ＲＦａｍｐ　を計算し（Ｓ６０４）、振幅ＲＦａｍｐ　に光ディスクの回転数　［回／周］　の周期性があるかどうかを判断する（Ｓ６０５）。ここで、周期性が検出されれば、カウント領域に欠陥パーティションが存在すると判断し（Ｓ６０６）、図５の動作フローを開始する（Ｓ５０１）。周期性が検出されなければ、欠陥パーティションは存在しないと判断し（Ｓ６０７）、ＰＫ値とＢＴ値をリセットせずに試し書き領域内の未使用パーティションを探索し、見つけ出した後もそのまま当該パーティションにおいて試し書きを行う。
【００４１】
以上が第４の実施形態の動作であるが、図６におけるＳ６０５の動作で周期性が検出されない場合においても、図５においてＰＫ値とＢＴ値をリセット（Ｓ５０４）を行ってもよいし、前記当該パーティションの直前のパーティションを読み（Ｓ５１０）、記録・未記録を調べてもよい（Ｓ５１２）。
【００４２】
また、第４の実施の形態によれば、欠陥パーティションが無いと判断した場合に、再生信号のピークレベルとボトムレベルをリセットすること、または当該パーティションの直前のパーティションを読み、記録・未記録を調べることなど、請求項２の手段を用いないことによって、ＯＰＣ時間の短縮が実現できる。
【００４３】
【発明の効果】
請求項１記載の光ディスク装置によれば、試し書き領域の未記録のパーティションを探索する際に、カウント領域の複数のパーティションを１つずつ読む前にその都度再生信号のピークレベルとボトムレベルをリセットするリセット手段を有することを特徴としているので、再生信号のピークレベルとボトムレベルをリセットすることにより、欠陥パーティションの直後に存在する未記録の正常パーティションのピークレベルとボトムレベルは、直前の欠陥パーティションのピークレベルとボトムレベルに依存しない。そのため、正常パーティションは記録済みと誤って判断されることがない。したがって、正常パーティションに対応する試し書き領域のパーティションは有効に使用され、ＯＰＣ可能回数を増やすことができる。
【００４４】
請求項２記載の光ディスク装置によれば、請求項１記載の光ディスク装置において、カウント領域を読んで未使用と判断された試し書き領域のパーティションの直前パーティションを読むことにより、再生信号のピークレベルとボトムレベルを測定する測定手段を有することを特徴としているので、カウント領域の欠陥パーティションによる誤った判断をなくすことができる。したがって、請求項１記載の手段よりもＯＰＣ可能回数を増やすことができる。
【００４５】
請求項３記載の光ディスク装置によれば、請求項１または２記載の光ディスク装置において、欠陥パーティションのピークレベルとボトムレベルの差は、記録済みのレベルの差より明らかに大きいのが一般的であるため、もし光ディスク上の傷などの欠陥がカウント領域内の複数のトラックにまたがって付いていた場合カウント領域のピークレベルとボトムレベルの差である振幅を検出した時に、欠陥部分の振幅が周期的に大きく検出される。したがって、試し書き領域の未記録のパーティションを探索する際に、カウント領域のパーティションを読み、再生信号のピークレベルとボトムレベルの差により振幅を求め、振幅の周期性を調べる手段を有することを特徴としているので、欠陥パーティションの有無が判断できる。
【００４６】
請求項４記載の光ディスク装置によれば、請求項３記載の光ディスク装置において、試し書き領域の記録のパーティションを探索する前に、カウント領域を全て読み、再生信号のピークレベルとボトムレベルの差による振幅の周期性を求め振幅に周期性が見られた場合は、請求項２記載の測定手段を用い、振幅に周期性が見られなかった場合は、請求項２記載の測定手段を用いない制御を行う制御手段を有することを特徴としているので、ＯＰＣ時間の短縮が実現できる。
【００４７】
請求項５記載の光ディスク装置は、請求項４記載の光ディスク装置において、振幅に周期性が見られなかった場合、制御手段は再生信号のピークレベルとボトムレベルをリセットすることを特徴としているので、ＯＰＣ時間の短縮が実現できる。
【００４８】
請求項６記載の光ディスク装置は、請求項４記載の光ディスク装置において、前記振幅に周期性が見られなかった場合、制御手段は当該パーティションの直前のパーティションを読み、記録・未記録を調べることを特徴としているので、ＯＰＣ時間の短縮が実現できる。
【図面の簡単な説明】
【図１】本発明の光ディスク装置の構成を示すブロック図である。
【図２】光ディスクの内面から外面までの断面図である。
【図３】カウント領域のパーティションにおける再生信号のピークレベルとボトムレベルの差による振幅の周期性を示す図である。
【図４】第１の実施の形態の動作を示すフローチャートである。
【図５】第２の実施の形態の動作を示すフローチャートである。
【図６】第３の実施の形態の動作を示すフローチャートである。
【符号の説明】
１０１　データ領域
１０２　試し書き領域
１０３　カウント領域
３０１　光ディスク
３０２　回転モータ
３０３　光ピックアップ
３０４　レーザパワー制御
３０５　再生信号検出回路
３０６　ピーク検出回路
３０７　ボトム検出回路
３０８　コントローラ
【図１】
2004110914.tif 000003
【図２】
2004110914.tif 000004
【図３】
2004110914.tif 000005
【図４】
2004110914.tif 000006
【図５】
2004110914.tif 000007
【図６】
2004110914.tif 000008